(57)【要約】【課題】安定した紙幣の積み重ねを損なうことなく簡単な構成により収納可能枚数を増加することができる紙幣収納装置を提供する。【解決手段】収納庫１の開口部に搬送された紙幣Ｂをその長手方向の両端部で支持して一時的に保留する保留部を形成する一対の支持ロッド２，２と、前記一対の支持ロッド２，２に一時的に保留された紙幣を前記収納庫１内に押し込む一対のプッシャロッド３，３と、前記一対の支持ロッド２，２および一対のプッシャロッド３，３が結合されるとともにモータＭに伝動連結された駆動機構４を備え、前記駆動機構４を、前記一対の支持ロッド２，２に一時的に保留された紙幣の長手方向の一端側であって、前記収納庫１における紙幣の積み重ね方向と直交する側壁１ａに配設し、収納庫１における紙幣の積み重ね方向の寸法が定められている場合にも収納可能枚数を増加させることを可能とする。【選択図】図１
2015170068.tif 000002
【特許請求の範囲】
【請求項１】
上面が開口した箱形をなすとともに紙幣を積み重ねた状態で収納する収納庫と、前記収納庫の開口部に搬送された紙幣をその長手方向の両端部で支持して一時的に保留する保留部を形成する一対の支持ロッドと、前記一対の支持ロッドに一時的に保留された紙幣を前記収納庫内に押し込む一対のプッシャロッドと、前記一対の支持ロッドおよび一対のプッシャロッドが結合されるとともにモータに伝動連結された駆動機構を備え、前記駆動機構は、前記一対の支持ロッドに一時的に保留された紙幣の長手方向の一端側であって、前記収納庫における紙幣の積み重ね方向と直交する側面側に配設され、モータに伝動連結されて一対の支持ロッドおよび一対のプッシャロッドを互いに逆方向に往復動させることを特徴とする紙幣収納装置。
【請求項２】
請求項１に記載の紙幣収納装置において、前記駆動機構は、対となる一方の支持ロッドが先端に結合され、かつ、基部に歯車が一体的に結合された支持アームと、対となる他方の支持ロッドが結合され、かつ、基部に歯車が一体的に結合された支持アームと、対となる一方のプッシャロッドが先端に結合され、かつ、基部に歯車が一体的に結合されたプッシャアームと、対となる他方のプッシャロッドが先端に結合され、かつ、基部に歯車が一体的に結合されたプッシャアームとからなり、前記一対のプッシャアームのそれぞれの歯車を挟んで一対の支持アームのそれぞれの歯車が位置する態様で前記一対のプッシャアームおよび支持アームを配設したうえで前記各歯車の一つをモータに連結してなることを特徴とする紙幣収納装置。
【請求項３】
請求項１に記載の紙幣収納装置において、前記駆動機構は、回転中心からそれぞれ反対方向に延在し、その一方が前記回転中心から先端までの長さを紙幣の短手方向の長さの略半分の長さに定められるとともに先端に支持ロッドを有し、他方が前記回転中心から先端までの長さを前記一方よりも短い長さに定められるとともに先端にプッシャロッドを有するレバー片を具備し、かつ、回転中心と同心円の歯車を備えた第１レバーおよび第２レバーからなり、前記第１レバーおよび第２レバー７７を回転中心で交差する態様でＸ字状に配設し、前記第１レバーおよび第２レバーのそれぞれの歯車を、連結歯車を介して連結したうえで前記連結歯車の一つをモータに連結してなることを特徴とする紙幣収納装置。
【請求項４】
請求項１に記載の紙幣収納装置において、前記駆動機構は、両端に支持ロッドとプッシャロッドが結合されるとともに中央部に回転中心となる歯車を有する一対のホルダーからなり、一対のホルダーを、支持ロッドがプッシャロッドに対して紙幣の短手方向の両端側に位置する態様で左右対称に配設するとともに一対のホルダーの歯車を、連結歯車を介して連結したうえで前記各歯車の一つをモータに連結してなることを特徴とする紙幣収納装置。
【発明の詳細な説明】
【技術分野】
【０００１】
この発明は、収納庫の開口部に搬送された紙幣を収納庫内に押し込んだうえで収納庫内に積み重ねて収納するプッシャ駆動機構を有する紙幣収納装置に関する。
【背景技術】
【０００２】
例えば、紙幣識別機を搭載した自動販売機においては紙幣挿入口から挿入された紙幣を紙幣識別部で判別したうえでその紙幣を積み重ねて収納する紙幣収納装置が組み込まれている。この種の従来の紙幣収納装置を図１２に示し、図１２の（ａ）は従来の紙幣収納装置の概略構成の側面図、図１２の（ｂ）は図１２の（ａ）のＡ−Ａ断面図である。図１２に示すように、紙幣収納装置１００は、上面が開口した収納庫１０１を備え、この収納庫１０１の開口部にプッシャ１０２および左右一対の支持板１０３，１０３を有している。収納庫１０１の内部には、左右一対の支持板１０３，１０３と接離する方向に庫内を往復動（図の場合、上下動）可能であって、収納庫１０１に収納された紙幣を支える押え板１０４と、この押え板１０４を支持板１０３，１０３に向けて付勢するばね１０５が設けられている。前記左右一対の支持板１０３，１０３は、搬送ローラＲ１，Ｒ２により搬送される紙幣（紙幣識別部で真券と判別された紙幣）の搬送方向に延在して配設されるとともにその間隔が紙幣の短手方向の幅（紙幣が長手方向に搬送される場合）よりも僅かに狭い幅に設定され、搬送ローラＲ１，Ｒ２により搬送された紙幣の幅方向両端を支持して一時的に載置するステージ状の保留部としての機能を有している。前記プッシャ１０２は、紙幣の長手方向に延在するとともに左右一対の支持板１０３，１０３の間隔よりも僅かに小さい幅の板状部材からなる。このプッシャ１０２は、支持板１０３，１０３により支持された紙幣と反対側（図では上方側）にプッシャ１０２を往復動作させるプッシャ駆動機構（不図示）を備えている。
【０００３】
この紙幣収納装置は、図１３の（ａ）に示すように、搬送ローラＲ１，Ｒ２により搬送された紙幣Ｂが支持板１０３，１０３上の保留部に搬入されて一時保留され、この保留部に搬送された紙幣が不図示の紙幣検知センサにより検知されるとプッシャ駆動機構を駆動してプッシャ１０２を往動動させて左右一対の支持板１０３，１０３に支持された紙幣Ｂの中央部を押圧して収納庫１０１内に押し込む。プッシャ１０２の往動により左右一対の支持板１０３，１０３の間を通過して押し込まれた紙幣Ｂの中央部は、プッシャ１０２と既収納紙幣（既収納紙幣が無い運用開始時の場合には押え板１０４）との間で挟持される一方、紙幣Ｂの両端部が屈曲する（図１３の（ｂ）参照）。さらに、プッシャ１０２が往動すると押え板１０４を支持板１０３，１０３に向けて付勢するばね１０５が縮むので、紙幣Ｂは中央部がプッシャ１０２と既収納紙幣（既収納紙幣が無い運用開始時の場合には押え板１０４）との間で挟持され、両端部が屈曲した姿勢で収納庫１０１に押し込まれる。そして、紙幣Ｂの両端が一対の支持板１０３，１０３を通り抜けて広がると、紙幣Ｂは既収納紙幣の上に積み重ねられ（図１３の（ｃ）参照）、プッシャ１０２が複動して待機位置に復帰すると収納庫１０１に収納された紙幣は、ばね１０５が伸びることにより押え板１０４と支持板１０３，１０３との間に挟持された状態で収納されることは周知である。
【０００４】
このような紙幣収納装置おいて、搬送された紙幣を一時的に保留する保留部を形成する支持板１０３，１０３が固定されている場合、支持板１０３，１０３に上に保留された紙幣を収納庫１０１に押し込むプッシャ１０２のストロークが長くなり、収納庫１０１における紙幣の積み重ね方向の寸法が定められている際には紙幣の収納可能な枚数が少なくなる。そこで、前記支持板１０３，１０３をプッシャ１０２との往復動と連動して当該プッシャ１０２と１８０度の位相差で往復動させることによりプッシャ１０２のストロークを短くして紙幣の収納可能枚数を増加するようにしたものが知られている（例えば、特許文献１参照）。
【先行技術文献】
【特許文献】
【０００５】
【特許文献１】実開昭５４−１０４８９０号公報
【発明の概要】
【発明が解決しようとする課題】
【０００６】
前述した特許文献１に開示された発明によれば、収納庫１０１における紙幣の積み重ね方向の寸法が定められている場合にもプッシャ１０２のストロークを短くすることができるので、紙幣の収納可能枚数を増加することが可能である点で優れている。しかしながら、プッシャ１０２を往復動作させるプッシャ駆動機構および支持板１０３，１０３を往復動させる駆動機構（不図示）が、支持板１０３，１０３上の保留部を挟んで収納庫１０１に収納された紙幣の反対側に配置、すなわち、収納庫１０１に収納された紙幣の積み重ね方向に配置していることから紙幣の収納可能枚数が少なくなるという課題を有する。
【０００７】
そこで、本発明は上記の点に鑑みなされたものであり、その目的は前記課題を解決し、安定した紙幣の積み重ねを損なうことなく簡単な構成により収納可能枚数を増加することができる紙幣収納装置を提供することにある。
【課題を解決するための手段】
【０００８】
上記目的を達成するために請求項１に係る発明は、上面が開口した箱形をなすとともに紙幣を積み重ねた状態で収納する収納庫と、前記収納庫の開口部に搬送された紙幣をその長手方向の両端部で支持して一時的に保留する保留部を形成する一対の支持ロッドと、前記一対の支持ロッドに一時的に保留された紙幣を前記収納庫内に押し込む一対のプッシャロッドと、前記一対の支持ロッドおよび一対のプッシャロッドが結合されるとともにモータに伝動連結された駆動機構を備え、前記駆動機構は、前記一対の支持ロッドに一時的に保留された紙幣の長手方向の一端側であって、前記収納庫における紙幣の積み重ね方向と直交する側面側に配設され、モータに伝動連結されて一対の支持ロッドおよび一対のプッシャロッドを互いに逆方向に往復動させることを特徴とする。
【０００９】
また、請求項２に係る発明は、請求項１に記載の紙幣収納装置において、前記駆動機構は、対となる一方の支持ロッドが先端に結合され、かつ、基部に歯車が一体的に結合された支持アームと、対となる他方の支持ロッドが結合され、かつ、基部に歯車が一体的に結合された支持アームと、対となる一方のプッシャロッドが先端に結合され、かつ、基部に歯車が一体的に結合されたプッシャアームと、対となる他方のプッシャロッドが先端に結合され、かつ、基部に歯車が一体的に結合されたプッシャアームとからなり、前記一対のプッシャアームのそれぞれの歯車を挟んで一対の支持アームのそれぞれの歯車が位置する態様で前記一対のプッシャアームおよび支持アームを配設したうえで前記各歯車の一つをモータに連結してなることを特徴とする。
【００１０】
また、請求項３に係る発明は、請求項１に記載の紙幣収納装置において、前記駆動機構は、回転中心からそれぞれ反対方向に延在し、その一方が前記回転中心から先端までの長さを紙幣の短手方向の長さの略半分の長さに定められるとともに先端に支持ロッドを有し、他方が前記回転中心から先端までの長さを前記一方よりも短い長さに定められるとともに先端にプッシャロッドを有するレバー片を具備し、かつ、回転中心と同心円の歯車を備えた第１レバーおよび第２レバーからなり、前記第１レバーおよび第２レバー７７を回転中心で交差する態様でＸ字状に配設し、前記第１レバーおよび第２レバーのそれぞれの歯車を、連結歯車を介して連結したうえで前記連結歯車の一つをモータに連結してなることを特徴とする。
【００１１】
また、請求項４に係る発明は、請求項１に記載の紙幣収納装置において、前記駆動機構は、両端に支持ロッドとプッシャロッドが結合されるとともに中央部に回転中心となる歯車を有する一対のホルダーからなり、一対のホルダーを、支持ロッドがプッシャロッドに対して紙幣の短手方向の両端側に位置する態様で左右対称に配設するとともに一対のホルダーの歯車を、連結歯車を介して連結したうえで前記各歯車の一つをモータに連結してなることを特徴とする。
【発明の効果】
【００１２】
本発明に係る紙幣収納装置によれば、上面が開口した箱形をなすとともに紙幣を積み重ねた状態で収納する収納庫と、前記収納庫の開口部に搬送された紙幣をその長手方向の両端部で支持して一時的に保留する保留部を形成する一対の支持ロッドと、前記一対の支持ロッドに一時的に保留された紙幣を前記収納庫内に押し込む一対のプッシャロッドと、前記一対の支持ロッドおよび一対のプッシャロッドが結合されるとともにモータに伝動連結された駆動機構を備え、前記駆動機構は、前記一対の支持ロッドに一時的に保留された紙幣の長手方向の一端側であって、前記収納庫における紙幣の積み重ね方向と直交する面側に配設され、モータに伝動連結されて一対の支持ロッドおよび一対のプッシャロッドを互いに逆方向に往復動させることにより、前記一対の支持ロッドおよび一対のプッシャロッドを互いに逆方向に往復動させる駆動機構が、前記一対の支持ロッドに一時的に保留された紙幣の長手方向の一端側であって、前記収納庫における紙幣の積み重ね方向と直交する面側に配設されている、つまり、収納庫における紙幣の積み重ね方向に駆動機構が存在しないので、収納庫への紙幣の収納可能枚数を増加させることができる。したがって、収納庫における紙幣の積み重ね方向の寸法が定められている場合にも紙幣の収納可能枚数を増加することができるという利点を有する。
【図面の簡単な説明】
【００１３】
【図１】本発明の実施の形態１に係る紙幣収納装置の全体構成を示す斜視図である。
【図２】図１の駆動機構を分解して示す分解斜視図である。
【図３】図１の駆動機構の主要部を示し、（ａ）は収納庫の紙幣搬入側から見た側面図、（ｂ）は収納庫の紙幣搬入側とは反対側から見た側面図である。
【図４】本発明の実施の形態１に係る紙幣収納装置の動作を示し、（ａ）乃至（ｄ）はそれぞれ紙幣収納装置の動作過程を順番に示す動作説明図である。
【図５】本発明の実施の形態２に係る紙幣収納装置の全体構成を示す斜視図である。
【図６】図５の駆動機構を分解して示す分解斜視図である。
【図７】図５の駆動機構の主要部を示し、（ａ）は収納庫の紙幣搬入側から見た側面図、（ｂ）は収納庫の紙幣搬入側とは反対側から見た側面図である。
【図８】本発明の実施の形態２に係る紙幣収納装置の動作を示し、（ａ）乃至（ｄ）はそれぞれ紙幣収納装置の動作過程を順番に示す動作説明図である。
【図９】本発明の実施の形態３に係る紙幣収納装置の全体構成を示す斜視図である。
【図１０】図９の駆動機構の主要部を示し、（ａ）は駆動機構の主要部の斜視図、（ｂ）は駆動機構を分解して示す分解斜視図である。
【図１１】本発明の実施の形態３に係る紙幣収納装置の動作を示し、（ａ）乃至（ｄ）はそれぞれ紙幣収納装置の動作過程を順番に示す動作説明図である。
【図１２】従来の紙幣収納装置を示し、（ａ）はその概略構成の側面図、（ｂ）は（ａ）のＡ−Ａ断面図である。
【図１３】図１２の紙幣収納装置の動作を示し、（ａ）乃至（ｃ）はそれぞれ紙幣収納装置の動作過程を順番に示す動作説明図である。
【発明を実施するための形態】
【００１４】
以下、本発明の実施の形態に係る紙幣収納装置について添付図面を参照して説明する。
【００１５】
（実施の形態１）
図１は、本発明の実施の形態１に係る紙幣収納装置の全体構成を示す。図１において、１は上面が開口した箱形をなす収納庫である。この収納庫１の開口部には、紙幣の長手方向に沿って延在する左右一対の支持ロッド２，２およびプッシャロッド３，３が配設されている。また、収納庫１における紙幣Ｂの搬入側とは反対側の側壁１ａにモータＭと伝動連結された駆動機構４が配設されている。
【００１６】
前記収納庫１の内部には、左右一対の支持ロッド２，２と接離する方向に庫内を上下方向に往復動可能であって、収納庫１に収納された紙幣を支える押え板５と、この押え板５を支持ロッド２，２に向けて付勢するばね６が設けられている。また、収納庫１における側壁１ａの上部側にそれぞれ切欠１ｂ，１ｂ（図２も参照）が形成されるとともに軸１２，１３，１４，１５が左右方向に所定の間隔をおいて稙設されている。前記切欠１ｂ，１ｂには支持ロッド２，２およびプッシャロッド３，３のそれぞれ対となる一つが貫通し、かつ、その支持ロッド２およびプッシャロッド３が上下に往復動可能な大きさに形成されている。前記軸１２，１３，１４，１５は、後述する歯車Ｇ１，Ｇ２，Ｇ３，Ｇ４を軸支するものである。
【００１７】
前記支持ロッド２，２は、紙幣Ｂの短手方向の寸法より僅かに小さい間隔をおいて配置され、収納庫１の開口部に搬送された紙幣Ｂの長手方向の両端を支持して一時的に載置する保留部を形成するものである。また、プッシャロッド３，３は、支持ロッド２，２の間隔よりも僅かに小さい間隔をおいて配置され、支持ロッド２，２に一時的に保留された紙幣Ｂを支持ロッド２，２と協働して収納庫１に押し込むものであり、待機状態では支持ロッド２，２の上方側に位置している。
【００１８】
前記駆動機構４は、対となる一方の支持ロッド２（支持ロッド２１ともいう）が先端に結合された支持アーム４１と、対となる他方の支持ロッド２（支持ロッド２２ともいう）が結合された支持アーム４２と、対となる一方のプッシャロッド３（プッシャロッド３１ともいう）が先端に結合されたプッシャアーム４３と、対となる他方のプッシャロッド３（プッシャロッド３２ともいう）が先端に結合されたプッシャアーム４４とからなる。前記支持アーム４１，４２の基部には歯車Ｇ１，Ｇ４が一体的に結合され、それぞれの支持アーム４１，４２は歯車Ｇ１，Ｇ４の軸１１，１４を支点として揺動自在である。前記プッシャアーム４３，４４の基部には歯車Ｇ２，Ｇ３が一体的に結合され、それぞれのプッシャアーム４３，４４は歯車Ｇ２，Ｇ３の軸１２，１３を支点として揺動自在である。また、プッシャアーム４３，４４にはそれぞれ歯車Ｇ２，Ｇ３の軸１２，１３を中心とする円弧状溝４３１，４４１が設けられ、この円弧状溝４３１，４４１にはそれぞれ歯車Ｇ１，Ｇ４の軸１１，１４が遊嵌される。前記歯車Ｇ１，Ｇ２，Ｇ３，Ｇ４は、それぞれ同一径の円筒体の周囲に同一数の歯が形成されているものである。なお、支持アーム４１、４２およびプッシャアーム４３，４４は、支持ロッド２およびプッシャロッド３を一体に成型してなる合成樹脂製になる。
【００１９】
前記駆動機構４は、プッシャアーム４３，４４を収納庫１の側壁１ａに組み付けたうえで支持アーム４１，４２を収納庫１の側壁１ａに組み付けることにより収納庫１に取り付けられる。すなわち、まず、プッシャアーム４３の先端に結合されたプッシャロッド３１を収納庫１の切欠１ｂ（図１，図２の場合には紙面右側の切欠１ｂ）に挿入させつつプッシャアーム４３の歯車Ｇ３を軸１３に取り付ける。このプッシャアーム４３の歯車Ｇ３を軸１３に取り付ける際、プッシャアーム４３に形成された円弧状溝４３１に軸１１を挿通させる。次いで、支持アーム４１の先端に結合された支持ロッド２１を、前記プッシャロッド３１が挿入された収納庫１の切欠１ｂに挿入させつつ支持アーム４１の歯車Ｇ１を、プッシャアーム４３の円弧状溝４３１を貫通して露出した軸１１に取り付ける。ここで、支持アーム４１の歯車Ｇ１を軸１１に取り付ける際、歯車Ｇ１をプッシャアーム４３の歯車Ｇ３に噛み合わせる。この場合、プッシャロッド３１が上限の待機位置に移動するようにプッシャアーム４３を、軸１３を通る水平線よりも上方に揺動させる一方、支持ロッド２１が下限の待機位置に移動するように支持アーム４１を、軸１１を通る水平線よりも下方に揺動させた状態で歯車Ｇ１，Ｇ３を噛み合わせる。
【００２０】
他方のプッシャアーム４４および支持アーム４２も前術したプッシャアーム４３および支持アーム４１と同様な順序で収納庫１の側壁１ａに取り付けられる。この場合、プッシャアーム４４の歯車１４を軸１４に取り付ける際、プッシャロッド３２が上限の待機位置に移動するようにプッシャアーム４４を、軸１４を通る水平線よりも上方に揺動させた状態に維持しつつ、軸１３に取り付けられたプッシャアーム４３の歯車Ｇ３にプッシャアーム４４の歯車１４を噛み合わせる。また、支持ロッド２２が下限の待機位置に移動するように支持アーム４２を、軸１２を通る水平線よりも下方に揺動させた状態で持アーム４２の歯車Ｇ２を、プッシャアーム４３の歯車Ｇ３に噛み合わせる。このように前記収納庫１の側壁１ａに取り付けられた駆動機構４並置してモータＭが設けられ、その際、モータＭの出力軸に固定された歯車（ウオーム歯車）Ｇ５が駆動機構４における支持アーム４１の歯車Ｇ１に噛み合わせられる。
【００２１】
前述したように収納庫１の側壁１ａに取り付けられた駆動機構４の側面図を図３に示し、図３の（ａ）は収納庫の紙幣搬入側から見た側面図、（ｂ）は収納庫の紙幣搬入側とは反対側から見た側面図である。図３の（ｂ）に示すように、支持アーム４１，４２およびプッシャアーム４３，４４は、歯車Ｇ１〜Ｇ５を介してモータＭに伝動連結される。また、図３に示すように、支持アーム４１，４２が軸１１，１２を通る水平線よりも下方に揺動した待機状態に位置し、プッシャアーム４３，４４が軸１３，１３を通る水平線よりも上方に揺動した待機状態に位置する。これにより支持ロッド２１，２２が下限の待機位置に移動しており、プッシャロッド３１，３２が上限の待機位置に移動している。
【００２２】
係る構成の商品収納装置における紙幣の収納動作について図３，図４を参照しつつ説明する。待機状態にある紙幣収納装置に搬送手段（図１２に示した搬送ローラなど）により収納庫１の開口部に紙幣Ｂが搬入されると、紙幣Ｂの長手方向の両端を支持ロッド２１，２２で支持した状態で一時的に保留される（図３の（ａ）参照）。支持ロッド２１，２２の保留部の所定位置に搬入された紙幣Ｂが不図示の検知スイッチにより検知されるとモータＭが正転駆動される。このモータＭの正転により歯車Ｇ１〜Ｇ４が、図３の（ｂ）に示した矢印の方向に回転を開始する。これにより、図４の（ａ）に示したように、プッシャアーム４３，４４が白抜き矢印の方向に移動を開始する一方、および支持アーム４１，４２がプッシャアーム４３，４４とは逆方向（白抜き矢印と逆方向）に移動を開始してプッシャロッド３１，３２を上限位置から下方に向けて移動させると同時に支持ロッド２１，２２を下限位置から上方に向けて移動させる。支持ロッド２１，２２の上昇に追従してばね６により付勢された押え板５も上昇する。なお、プッシャアーム４３，４４における円弧状溝４３１，４４１を貫通する軸１１，１２は、前記円弧状溝４３１，４４１がプッシャアーム４３，４４の支点となる軸１２，１３を中心とする円弧状に形成されていることから、当該円弧状溝４３１，４４１に沿って移動する。これにより、プッシャアーム４３，４４は、軸１１，１２により移動を妨げられることなく下降移動する。
【００２３】
下降するプッシャロッド３１，３２と上昇する支持ロッド２１，２２が水平方向に重なり合うようになると、プッシャロッド３１，３２により中央部を押圧される紙幣Ｂの両端部が上方に屈曲する（図４の（ｂ）参照）。下降するプッシャロッド３１，３２と上昇する支持ロッド２１，２２が水平方向に完全に重なり合うと、プッシャロッド３１，３２に押し込まれる紙幣Ｂの中央部は、プッシャロッド３１，３２と既収納紙幣（既収納紙幣が無い運用開始時の場合には押え板５）との間で挟持され、紙幣Ｂの両端部が屈曲した状態でも紙幣Ｂが安定して押し込まれる。さらに、プッシャロッド３１，３２が下降する一方、支持ロッド２１，２２が上昇して紙幣Ｂの両端が支持ロッド２１，２２の間を通り抜けて広がると、紙幣Ｂは既収納紙幣（若しくは押え板５）の上に積み重ねられる（図４の（ｃ）参照）。
【００２４】
この図４の（ｃ）に示した状態から所定の保証時間が経過（紙幣Ｂの左右方向にずれた場合にも紙幣Ｂの両端が確実に広がるまでの所定時間）までモータＭが正転してプッシャロッド３１，３２が下限位置に到達する一方、支持ロッド２１，２２が上限位置に到達する。この場合歯車Ｇ１〜Ｇ４は最大で１８０度（半回転）するように定められているものである。この後、モータＭが逆転駆動され、プッシャロッド３１，３２が上昇する一方、支持ロッド２１，２２が下降し、上昇するプッシャロッド３１，３２と下降する支持ロッド２１，２２が水平方向に重なり合う図４の（ｄ）の状態を経て図４の（ａ）に示した待機位置に復帰する。ここで、収納庫１に収納された紙幣は、プッシャロッド３１，３２が下限位置から上昇する際にはプッシャロッド３１，３２の上昇に追従してばね６により付勢された押え板５（収納庫１に収納された紙幣）も上昇するのでプッシャロッド３１，３２と押え板５と支持ロッド２１，２２との間に挟持する一方、上昇するプッシャロッド３１，３２と下降する支持ロッド２１，２２が擦れ違ってから支持ロッド２１，２２が下降位置に復帰する際には支持ロッド２１，２２と押え板５との間に挟持されるので安定した収納状態が維持されるものである。
【００２５】
前述した実施の形態１に係る紙幣収納装置によれば、上面が開口した箱形をなすとともに紙幣を積み重ねた状態で収納する収納庫１と、前記収納庫１の開口部に搬送された紙幣Ｂをその長手方向の両端部で支持して一時的に保留する保留部を形成する一対の支持ロッド２，２と、前記一対の支持ロッド２，２に一時的に保留された紙幣を前記収納庫１内に押し込む一対のプッシャロッド３，３と、前記一対の支持ロッド２，２および一対のプッシャロッド３，３が結合されるとともにモータＭに伝動連結された駆動機構（歯車Ｇ１，Ｇ４を一体的に設けた支持アーム４１，４２、歯車Ｇ２，Ｇ３を一体的に設けたプッシャアーム４３，４４）を備え、前記駆動機構は、前記一対の支持ロッド２，２に一時的に保留された紙幣の長手方向の一端側であって、前記収納庫１における紙幣の積み重ね方向と直交する面側（側壁１ａ）に配設され、モータＭに伝動連結（歯車Ｇ１〜Ｇ４）されて一対の支持ロッド２，２および一対のプッシャロッド３，３を互いに逆方向に往復動させることにより、前記一対の支持ロッド２，２および一対のプッシャロッド３，３を互いに逆方向に往復動させる駆動機構が、前記一対の支持ロッド２，２に一時的に保留された紙幣Ｂの長手方向の一端側であって、前記収納庫１における紙幣の積み重ね方向と直交する面側（側壁１ａ）に配設されている、つまり、収納庫１における紙幣の積み重ね方向に駆動機構が存在しないので、収納庫１への紙幣の収納可能枚数を増加させることができる。したがって、収納庫１における紙幣の積み重ね方向の寸法が定められている場合にも紙幣の収納可能枚数を増加することができるという利点を有する。
【００２６】
（実施の形態２）
図５は、本発明の実施の形態２に係る紙幣収納装置の全体構成を示す。図５において、図１乃至図４に示した実施の形態１に係る紙幣収納装置と同一のものには同一の符号を付している。図５に示す実施の形態２に係る紙幣収納装置は、実施の形態１と同様に、納庫１の開口部には、紙幣の長手方向に沿って延在する左右一対の支持ロッド２，２およびプッシャロッド３，３が配設されている。また、収納庫１における紙幣Ｂの搬入側とは反対側の側壁１ａにモータＭに連結歯車機構８を介して伝動連結された駆動機構７が配設されている。この駆動機構７が、実施の形態１の紙幣収納装置における駆動機構４と相違しており、以下、この駆動機構７について説明する。
【００２７】
前記駆動機構７は、回転中心となる軸孔７０から左右に延在する長さの異なるレバー片７１，７２有する第１レバー７３と、長さの異なるレバー片７５，７６を有する第２レバー７７と、歯車Ｇ６〜Ｇ９を有する連結歯車機構８からなる。
【００２８】
前記第１レバー７３は、その軸孔７０を挟んで左右に長さの異なるレバー片７１，７２を有するものでる。第１レバー７３のレバー片７１は、その軸孔７０の中心から先端までの長さが紙幣Ｂの短手方向の長さの略半分の長さを有するとともにその先端に支持ロッド２（２１）が結合されている。また、第１レバー７３のレバー片７２は、その軸孔７０の中心から先端までの長さがレバー片７１よりも短く形成されるとともにその先端にプッシャロッド３（３２）が結合されている。さらに、第１レバー７３は、レバー片７１の基部側の板面に立設された円弧状の壁の外面に歯が形成された歯車７４を備えている。この歯車７４の円弧は、収納庫１の側壁１ａにおける左右方向の中央部に稙設された軸１５および軸孔７０と同心円として形成されている。なお、第１レバー７３の軸孔７０の径は後述するボールベアリング７８の外形に略一致する大きさに形成されている。
【００２９】
第２レバー７７を構成するレバー片７５は、その基部に円筒状の軸受部７５ａが形成されるとともに先端にプッシャロッド３（３１）が結合されてなる。このレバー片７５は、軸受部７５ａから先端までの長さが第１レバー７３のレバー片７２における軸孔７０の中心から先端までの長さと同一の長さを有するものであり、その円筒状の軸受部７５ａの内径が前記軸１５よりも僅かい大きい径を有するものである。また、前記円筒状の軸受部７５ａにはボールベアリング７８が装着されている。一方、第２レバー７７を構成するレバー片７６は、第１レバー７３のレバー片７１（第１レバー７３から軸孔７０を残してレバー片７２を削除したもの）の形状と同一であって、基部に軸孔７６ａを有するとともに先端に支持ロッド２（２２）が結合されてなり、その基部側に軸孔７６ａと同心円をなす円弧状の歯車７９が形成されている。このレバー片７６は、第１レバー７３のレバー片７１の形状と同一であるので、その軸孔７６ａの中心から先端までの長さが第１レバー７３のレバー片７１と同一の長さを有するものである。なお、レバー片７６の軸孔７６ａの径は、レバー片７５の円筒状の軸受部７５ａの外径より僅かに大きく形成されているものである。なお、第１レバー７３および第２レバー７７を構成するレバー片７５，７６４は、支持ロッド２およびプッシャロッド３を一体に成型してなる合成樹脂製になる。
【００３０】
前記連結歯車機構８は、図７の（ｂ）も参照すると分かるように、左右一対の径の大きな歯車Ｇ６，Ｇ９と、これらの歯車Ｇ６，Ｇ９を連結する一対の径の小さな歯車Ｇ７，Ｇ８とからなる。各歯車Ｇ６〜Ｇ９は、収納庫１の側壁に回転自在に軸支されている。そして、歯車Ｇ６は、モータＭの出力軸に固定された歯車（ウオーム歯車）Ｇ５に噛み合うように配設されている。なお、歯車Ｇ７，Ｇ８は歯車Ｇ６，Ｇ９が互いに逆方向に回転するように両者を連結するものである。
【００３１】
次に、第１レバー７３および第２レバー７７の収納庫１への組み付けについて説明すると、まず、第２レバー７７を構成するレバー片７５を収納庫１の側壁１ａに稙設された軸１５に取り付ける。この場合、レバー片７５の先端に結合されたプッシャロッド３１を収納庫１の切欠１ｂ（図５，図６の場合には紙面右側の切欠１ｂ）に挿入させた状態でレバー片７５の軸受部７５ａの中空部に軸１５に挿通させる。これにより、レバー片７５の先端に結合されたプッシャロッド３１が収納庫１の切欠１ｂに配置された状態でレバー片７５が収納庫１の側壁１ａに取り付けられる。
【００３２】
次いで、第１レバー７３を収納庫１の側壁１ａの外側に位置させ、かつ、レバー片７１の先端に結合された支持ロッド２１および第１レバー７３のレバー片７２の先端に結合されたプッシャロッド３２の先端を収納庫１の左右に形成された切欠１ｂに対峙させた状態で第１レバー７３を側壁１ａに接近させたうえでレバー片７５の軸受部７５ａに装着されたボールベアリング７８に第１レバー７３の軸孔７０を嵌め込むと同時に第１レバー７１の円弧状の歯車７４を歯車Ｇ６と噛み合わせる。この場合、レバー片７１に結合された支持ロッド２１が下限位置に位置する一方、レバー片７２に結合されたプッシャロッド３２が上限位置に位置するように第１レバー７３を回動させた状態で、第１レバー７１の円弧状の歯車７４を歯車Ｇ６と噛み合わせる。これにより、レバー片７１に結合された支持ロッド２１が下限位置に位置し，レバー片７２に結合されたプッシャロッド３２が上限位置に位置する態様で第１レバー７３は収納庫１の側壁１ａに取り付けられる。この第１レバー７３は、ボールベアリング７８に軸支されることにより、収納庫１の側壁１ａに取り付けられと軸１５を中心に回動可能である。
【００３３】
最後に第２レバー７７を構成するレバー片７６を、レバー片７６の先端に結合された支持ロッド２２を収納庫１の切欠１ｂ（図５，図６の場合には紙面左側の切欠１ｂ）に挿入させた状態でレバー片７６の軸孔７６ａをレバー片７５の軸受部７５ａに嵌入させると同時にレバー片７６の円弧状の歯車７９を歯車Ｇ９と噛み合わせる。ここで、レバー片７６の軸孔７６ａをレバー片７５の軸受部７５ａに嵌入させるとレバー片７５，７６が軸受部７５ａを介して一体化される。そして、レバー片７６の軸孔７６ａをレバー片７５の軸受部７５ａに嵌入させると同時にレバー片７６の円弧状の歯車７９を歯車Ｇ９と噛み合わせる際にレバー片７５，７６を次のように配置させる。すなわち、レバー片７５に結合されたプッシャロッド３１が上限位置に位置するようにレバー片７５を配置する一方、レバー片７６を、前記軸受部７５ａを挟んでレバー片７５と反対側を向くとともにレバー片７６に結合された支持ロッド２２が下限位置に位置するようにレバー片７６を配置した状態で、レバー片７６の軸孔７６ａをレバー片７５の軸受部７５ａに嵌入させると同時にレバー片７６の円弧状の歯車７９を歯車Ｇ９と噛み合わせる。これにより、レバー片７５，７６が前記軸受部７５ａを挟んで互いに反対方向に延在する態様で、両者が１８０度の間隔をもって配置された第２レバー７７が収納庫１の側壁１ａに取り付けられる。このレバー片７５，７６からなる第２レバー７７は、収納庫１の側壁１ａに取り付けられと軸１５を中心に回動可能である。
【００３４】
前述したように収納庫１の側壁１ａに取り付けられた第１レバー７３は、図７の（ｂ）に示すように、ウオーム歯車Ｇ５および歯車Ｇ６を介してモータＭに伝動連結され、第２レバー７７はウオーム歯車Ｇ５，歯車Ｇ６〜Ｇ９を介してモータＭに伝動連結される。そして、第１レバー７３および第２レバー７７が軸１５を交差点としてＸ字状に配設された待機状態に位置し、これにより支持ロッド２１，２２が下限の待機位置に移動しており、プッシャロッド３１，３２が上限の待機位置に移動している。
【００３５】
係る構成の商品収納装置における紙幣の収納動作について図７，図８を参照しつつ説明する。待機状態にある紙幣収納装置に搬送手段（図１２に示した搬送ローラなど）により収納庫１の開口部に紙幣Ｂが搬入されると、紙幣Ｂの長手方向の両端を支持ロッド２１，２２で支持した状態で一時的に保留される（図８の（ａ）参照）。支持ロッド２１，２２における保留部の所定位置に搬入された紙幣Ｂが不図示の検知スイッチにより検知されるとモータＭが正転駆動される。このモータＭの正転により歯車Ｇ６〜Ｇ９が、図７の（ｂ）に示した矢印の方向に回転を開始する。これにより、歯車Ｇ６に噛み合う歯車７４を有する第１レバー７３および歯車Ｇ９に噛み合う歯車７９を有する第２レバー７７が、図８の（ａ）において、軸１５を中心として時計方向および反時計方向に回動を開始してプッシャロッド３１，３２を上限位置から下方に向けて移動させると同時に支持ロッド２１，２２を下限位置から上方に向けて移動させる。支持ロッド２１，２２の上昇に追従してばね６により付勢された押え板５も上昇する。
【００３６】
下降するプッシャロッド３１，３２と上昇する支持ロッド２１，２２が水平方向に重なり合うようになると、プッシャロッド３１，３２により中央部を押圧される紙幣Ｂの両端部が上方に屈曲する（図８の（ｂ）参照）。下降するプッシャロッド３１，３２と上昇する支持ロッド２１，２２が水平方向に完全に重なり合うと、プッシャロッド３１，３２に押し込まれる紙幣Ｂの中央部は、プッシャロッド３１，３２と既収納紙幣（既収納紙幣が無い運用開始時の場合には押え板５）との間で挟持され、紙幣Ｂの両端部が屈曲した状態でも紙幣Ｂが安定して押し込まれる。さらに、プッシャロッド３１，３２が下降する一方、支持ロッド２１，２２が上昇して紙幣Ｂの両端が支持ロッド２１，２２の間を通り抜けて広がると、紙幣Ｂは既収納紙幣（若しくは押え板５）の上に積み重ねられる（図８の（ｃ）参照）。
【００３７】
この図８の（ｃ）に示した状態から所定の保証時間が経過（紙幣Ｂの左右方向にずれた場合にも紙幣Ｂの両端が確実に広がるまでの所定時間）までモータＭが正転してプッシャロッド３１，３２が下限位置に到達する一方、支持ロッド２１，２２が上限位置に到達する。この後、モータＭが逆転駆動され、プッシャロッド３１，３２が上昇する一方、支持ロッド２１，２２が下降し、上昇するプッシャロッド３１，３２と下降する支持ロッド２１，２２が水平方向に重なり合う図８の（ｄ）の状態を経て図８の（ａ）に示した待機位置に復帰する。ここで、収納庫１に収納された紙幣は、プッシャロッド３１，３２の下限位置から上昇する際にはプッシャロッド３１，３２の上昇に追従してばね６により付勢された押え板５（収納庫１に収納された紙幣）も上昇するのでプッシャロッド３１，３２と押え板５と支持ロッド２１，２２との間に挟持する一方、上昇するプッシャロッド３１，３２と下降する支持ロッド２１，２２が擦れ違ってから支持ロッド２１，２２が下降位置に復帰する際には支持ロッド２１，２２と押え板５との間に挟持されるので安定した収納状態が維持されるものである。
【００３８】
前述した実施の形態２に係る紙幣収納装置によれば、上面が開口した箱形をなすとともに紙幣を積み重ねた状態で収納する収納庫１と、前記収納庫１の開口部に搬送された紙幣Ｂをその長手方向の両端部で支持して一時的に保留する保留部を形成する一対の支持ロッド２，２と、前記一対の支持ロッド２，２に一時的に保留された紙幣を前記収納庫１内に押し込む一対のプッシャロッド３，３と、前記一対の支持ロッド２，２および一対のプッシャロッド３，３が結合されるとともにモータＭに伝動連結された駆動機構（歯車７４を一体的に設けた第１レバー７３、歯車７９を一体的に設けた第２レバー７７）を備え、前記駆動機構は、前記一対の支持ロッド２，２に一時的に保留された紙幣の長手方向の一端側であって、前記収納庫１における紙幣の積み重ね方向と直交する面側（側壁１ａ）に配設され、モータＭに伝動連結（歯車Ｇ６〜Ｇ９）されて一対の支持ロッド２，２および一対のプッシャロッド３，３を互いに逆方向に往復動させることにより、前記一対の支持ロッド２，２および一対のプッシャロッド３，３を互いに逆方向に往復動させる駆動機構が、前記一対の支持ロッド２，２に一時的に保留された紙幣Ｂの長手方向の一端側であって、前記収納庫１における紙幣の積み重ね方向と直交する面側（側壁１ａ）に配設されている、つまり、収納庫１における紙幣の積み重ね方向に駆動機構が存在しないので、収納庫１への紙幣の収納可能枚数を増加させることができる。したがって、収納庫１における紙幣の積み重ね方向の寸法が定められている場合にも紙幣の収納可能枚数を増加することができるという利点を有する。
【００３９】
なお、第１レバー７３および第２レバー７７に一体的に設けた歯車７４，７９は、実施の形態２では円弧状に形成されたものについて説明したが、平歯車であってもよいものであり、実施の形態に限定されるものではない。
【００４０】
（実施の形態３）
図９は、本発明の実施の形態３に係る紙幣収納装置の全体構成を示す。図９において、図１乃至図４に示した実施の形態１に係る紙幣収納装置と同一のものには同一の符号を付している。図９に示す実施の形態３に係る紙幣収納装置は、実施の形態１と同様に、納庫１の開口部には、紙幣の長手方向に沿って延在する左右一対の支持ロッド２，２およびプッシャロッド３，３が配設されている。また、収納庫１における紙幣Ｂの搬入側とは反対側の側壁１ａにモータＭにと伝動連結された駆動機構９が配設されている。この駆動機構９が、実施の形態１の紙幣収納装置における駆動機構４と相違しており、以下、この駆動機構９について図１０を用いて説明する。
【００４１】
前記駆動機構９は、収納庫１の側壁１ａの両サイドに配設したホルダー９０，９０と、連結歯車Ｇ１０〜Ｇ１３とからなる。前記ホルダー９０は、両端に支持ロッド２とプッシャロッド３が結合されるとともに中央部に回転中心となる歯車９００を有する同一構成からなるものである。以下では説明の都合上、図９における収納庫１の側壁１ａの両サイドに配設したホルダー９０，９０のうち、収納庫１の側壁１ａの右サイドに配設されたホルダー９０に係わるものにはＲの記号を付し、収納庫１の側壁１ａの左サイドに配設されたホルダー９０に係わるものにはＬの記号を付して使い分けることとする。
【００４２】
前記ホルダー９０Ｌは、両端に支持ロッド２２とプッシャロッド３２が結合され、中央部に歯車９００Ｌが一体的に設けられている。また、ホルダー９０Ｒは、図１１も参照すると分かるように、両端に支持ロッド２１とプッシャロッド３１が結合され、中央部に歯車９００Ｒが一体的に設けられている。これらのホルダー９０Ｒ，９０Ｌは、収納庫１の側壁１ａに設けた軸（不図示）に歯車９００Ｒ，９００Ｌを取り付けることにより回動自在に軸支されている。この場合、ホルダー９０Ｒ，９０Ｌの間の間隔は、ホルダー９０Ｒに結合された支持ロッド２１とプッシャロッド３１およびホルダー９０Ｌに結合された支持ロッド２２とプッシャロッド３２が、プッシャロッド３１，３２が互いに接近する一方、支持ロッド２１，２２が互いに離隔する態様で歯車９００Ｒ，９００Ｌの軸心を通る水平線上に並んだ場合、離隔した支持ロッド２１，２２の間の間隔が紙幣Ｂの短手方向の寸法よりも小さくなるように定められるものである。また、ホルダー９０Ｒ，９０Ｌは、支持ロッド２１，２２が下方に位置するとともにプッシャロッド３１，３２が上方に位置するとともに支持ロッド２１，２２がプッシャロッド３１，３２に対して紙幣Ｂの短手方向の両端側に位置する態様で収納庫１の側壁１ａに左右対称に配設される。そして、ホルダー９０Ｒ，９０Ｌの歯車９００Ｒ，９００Ｌが連結歯車Ｇ１０〜Ｇ１３により連結され、ホルダー９０Ｒの歯車９００Ｒに不図示のモータの出力軸に固定された歯車（ウオーム歯車）に噛み合わせることにより、ホルダー９０Ｒ，９０Ｌがモータに伝動連結される。なお、ホルダー９０Ｒ，９０Ｌは、支持ロッド２およびプッシャロッド３を一体に成型してなる合成樹脂製になる。
【００４３】
前述したように収納庫１の側壁１ａに取り付けられたホルダー９０Ｒ，９０Ｌは、モータに伝動連結され、かつ、支持ロッド２１，２２が下限の待機位置に移動しており、プッシャロッド３１，３２が上限の待機位置に移動した状態で待機している。
【００４４】
係る構成の商品収納装置における紙幣の収納動作について図１１を参照しつつ説明する。待機状態にある紙幣収納装置に搬送手段（図１２に示した搬送ローラなど）により収納庫１の開口部に紙幣Ｂが搬入されると、紙幣Ｂの長手方向の両端を支持ロッド２１，２２で支持した状態で一時的に保留される（図１１の（ａ）参照）。支持ロッド２１，２２における保留部の所定位置に搬入された紙幣Ｂが不図示の検知スイッチにより検知されると不図示のモータが正転駆動される。このモータの正転によりホルダー９０Ｒの歯車９００Ｒおよびこの歯車９００Ｒに連結歯車Ｇ１０〜Ｇ１３を介して連結されたホルダー９０Ｌの歯車９００Ｌが、図１０の（ａ）に示した矢印の方向に回転を開始する。これにより、ホルダー９０Ｒおよびホルダー９０Ｌが、図１１の（ａ）において時計方向および反時計方向に回動を開始してプッシャロッド３１，３２を上限位置から下方に向けて移動させると同時に支持ロッド２１，２２を下限位置から上方に向けて移動させる。支持ロッド２１，２２の上昇に追従してばね６により付勢された押え板５も上昇する。
【００４５】
下降するプッシャロッド３１，３２と上昇する支持ロッド２１，２２が水平方向に重なり合うようになると、プッシャロッド３１，３２により中央部を押圧される紙幣Ｂの両端部が上方に屈曲する（図１１の（ｂ）参照）。下降するプッシャロッド３１，３２と上昇する支持ロッド２１，２２が水平方向に完全に重なり合うと、プッシャロッド３１，３２に押し込まれる紙幣Ｂの中央部は、プッシャロッド３１，３２と既収納紙幣（既収納紙幣が無い運用開始時の場合には押え板５）との間で挟持され、紙幣Ｂの両端部が屈曲した状態でも紙幣Ｂが安定して押し込まれる。さらに、プッシャロッド３１，３２が下降する一方、支持ロッド２１，２２が上昇して紙幣Ｂの両端が支持ロッド２１，２２の間を通り抜けて広がると、紙幣Ｂは既収納紙幣（若しくは押え板５）の上に積み重ねられる（図１１の（ｃ）参照）。
【００４６】
この図１１の（ｃ）に示した状態からさらにモータが正転してプッシャロッド３１と支持ロッド２１およびプッシャロッド３１と支持ロッド２１が、ホルダー９０Ｌ，９０Ｒの中心点を通る鉛直線上に位置すると（図１１の（ｄ）、プッシャロッド３１，３２が下限位置から上昇に反転する一方、支持ロッド２１，２２が上限位置から下降に反転する。その後、上昇するプッシャロッド３１，３２と下降する支持ロッド２１，２２が水平方向に重なり合う状態を経て図１１の（ａ）に示した待機位置に復帰する。ここで、収納庫１に収納された紙幣は、プッシャロッド３１，３２の下限位置から上昇する際にはプッシャロッド３１，３２の上昇に追従してばね６により付勢された押え板５（収納庫１に収納された紙幣）も上昇するのでプッシャロッド３１，３２と押え板５と支持ロッド２１，２２との間に挟持する一方、上昇するプッシャロッド３１，３２と下降する支持ロッド２１，２２が擦れ違ってから支持ロッド２１，２２が下降位置に復帰する際には支持ロッド２１，２２と押え板５との間に挟持されるので安定した収納状態が維持されるものである。この実施の形態３に係る紙幣収納装置においては、モータを正転，逆転させる必要はなく、正転駆動すればよい。
【００４７】
前述した実施の形態３に係る紙幣収納装置によれば、上面が開口した箱形をなすとともに紙幣を積み重ねた状態で収納する収納庫１と、前記収納庫１の開口部に搬送された紙幣Ｂをその長手方向の両端部で支持して一時的に保留する保留部を形成する一対の支持ロッド２，２と、前記一対の支持ロッド２，２に一時的に保留された紙幣を前記収納庫１内に押し込む一対のプッシャロッド３，３と、前記一対の支持ロッド２，２および一対のプッシャロッド３，３が結合されるとともにモータに伝動連結された駆動機構（歯車９００Ｌ，９００Ｒを一体的に設けたホルダー９０Ｌ，９０Ｒ）を備え、前記駆動機構は、前記一対の支持ロッド２，２に一時的に保留された紙幣の長手方向の一端側であって、前記収納庫１における紙幣の積み重ね方向と直交する面側（側壁１ａ）に配設され、モータに伝動連結（歯車Ｇ１０〜Ｇ１３）されて一対の支持ロッド２，２および一対のプッシャロッド３，３を互いに逆方向に往復動させることにより、前記一対の支持ロッド２，２および一対のプッシャロッド３，３を互いに逆方向に往復動させる駆動機構が、前記一対の支持ロッド２，２に一時的に保留された紙幣Ｂの長手方向の一端側であって、前記収納庫１における紙幣の積み重ね方向と直交する面側（側壁１ａ）に配設されている、つまり、収納庫１における紙幣の積み重ね方向に駆動機構が存在しないので、収納庫１への紙幣の収納可能枚数を増加させることができる。したがって、収納庫１における紙幣の積み重ね方向の寸法が定められている場合にも紙幣の収納可能枚数を増加することができるという利点を有する。
【００４８】
なお、前述した実施の形態３では、ホルダー９０Ｒの歯車９０Ｒが、モータの出力軸に固定された歯車（ウオーム歯車）に直接駆動されるように構成したものについて説明したが、モータの出力軸に固定された歯車（ウオーム歯車）を連結歯車Ｇ１０〜Ｇ１３の一つに噛み合わせて駆動するようにすることもでき、実施の形態に限定されるものではない。
【００４９】
また、前述した各実施の形態では、前記支持アーム４１，４２（第１レバー７３、ホルダー９０）、プッシャアーム４３，４４（第２レバー７７、ホルダー９０）は、支持ロッド２、プッシャロッド３を一体に成型してなる合成樹脂製のものについて説明したが、支持ロッド２，プッシャロッド３と別部材としてそれぞれを結合することもでき、さらに金属製とすることもできるものである。さらに、前述した各実施の形態では紙幣の搬送方向が紙幣の長手方向であるものについて説明したが、紙幣の短手方向に沿って搬送するものにも適用することができるものであり、その場合にも一対の支持ロッド２，２および一対のプッシャロッド３，３を互いに逆方向に往復動させる駆動機構を、前記一対の支持ロッド２，２に一時的に保留された紙幣Ｂの長手方向の一端側であって、前記収納庫１における紙幣の積み重ね方向と直交する面側（側壁１ａ）に配設すればよく、実施の形態に限定されるものではない。
【符号の説明】
【００５０】
１…収納庫、１ａ…側壁、２（２１，２２）…支持ロッド、３（３１，３２）…プッシャロッド、４，７，９…駆動機構、５…押え板、６…ばね（付勢手段）、４１，４２…支持アーム、４３，４４…プッシャアーム、７１，７２，７５，７６…レバー片、７３…第１レバー、７７…第２レバー、７４，７９…歯車、９０（９０Ｒ，９０Ｌ）…ホルダー、９００（９００Ｒ，９００Ｌ）…歯車、Ｇ１〜Ｇ１３…歯車、Ｍ…モータ。
【図１】
2015170068.tif 000003
【図２】
2015170068.tif 000004
【図３】
2015170068.tif 000005
【図４】
2015170068.tif 000006
【図５】
2015170068.tif 000007
【図６】
2015170068.tif 000008
【図７】
2015170068.tif 000009
【図８】
2015170068.tif 000010
【図９】
2015170068.tif 000011
【図１０】
2015170068.tif 000012
【図１１】
2015170068.tif 000013
【図１２】
2015170068.tif 000014
【図１３】
2015170068.tif 000015